(57)【特許請求の範囲】
【請求項１】
平面上に配列される複数の光源から放射される光を反射する反射部材であって、
前記反射部材は、隣接する前記光源を仕切るように前記光源からの光の放射面側に突出する隔壁を有し、前記隔壁は、その対向する壁面同士をそれらが近づくように指で摘むと互いに離れる方向に弾性が生じ、前記対向する壁面のそれぞれに、前記反射部材の前記放射面と反対側に突出する係合突起が設けられ、
前記係合突起のそれぞれは、先端部に外方に突出するフックであることを特徴とする反射部材。
【請求項２】
前記係合突起は、前記隔壁の長さ方向の中央に設けられていることを特徴とする請求項１に記載の反射部材。
【請求項３】
前記係合突起は、前記反射部材と一体的に形成されている請求項１または２に記載の反射部材。
【請求項４】
請求項１〜３のいずれかに記載の反射部材と、
前記係合突起が係合される係合孔が開口するフレームと、
前記係合突起が挿入される取付孔が開口し、光源が実装された基板と、
を有し、
前記フレーム、前記基板、前記反射部材の順に積層し、前記係合突起を前記基板の取付孔に挿入すると共に前記フレームの係合孔に係合させることにより、前記反射部材を前記基板と共に前記フレームに固定することを特徴とする発光装置。
【請求項５】
さらに前記反射部材に対向配置された拡散板を備える請求項４に記載の発光装置。
【請求項６】
請求項５に記載の発光装置と、
前記拡散板に対向配置された表示パネルと、
を有する表示装置。
【発明の詳細な説明】
【技術分野】
【０００１】
この発明は、光源から放射された光を反射する反射部材、該反射部材を備えた発光装置、および該発光装置を備えた表示装置に関する。
【背景技術】
【０００２】
特許文献１には、有底の矩形の枠体の底部中央に、ＬＥＤ（光源）が実装された基板が配置された光源ユニットが開示されている。複数の光源ユニットを行列状に組み合わせてその全体を兼用させて上方に１枚の拡散板を配置することにより、液晶パネル用のバックライトユニットが構成される。枠体の内面は反射手段が施され、枠体自身が光源から放射された光を上方へ反射する反射部材を構成している。
【０００３】
このようなバックライトユニットは最終製品である表示装置へのアセンブリを簡便にするために部品化される。そのため、複数の光源ユニットを行列状に組み合わせた状態で何らかの手段を用いて保持することが必要である。例えば、光源ユニットの枠体（反射部材）を板金などから作製されるフレームに固定することが考えられる。
【先行技術文献】
【特許文献】
【０００４】
【特許文献１】特開２０１０−２３８４２０号公報
【発明の概要】
【発明が解決しようとする課題】
【０００５】
しかし、枠体（反射部材）をフレームに対してビスなどの異物を用いて固定を行うと、輝度ムラの発生につながる。また、両面テープ等で固定した場合、着脱が難しくなる。
【０００６】
この発明は、上記問題に鑑みてなされたものであり、反射部材の着脱を容易にする構造を提供することを目的とする。
【課題を解決するための手段】
【０００７】
この発明の反射部材は、平面上に配列される複数の光源から放射される光を反射する。反射部材は、隣接する前記光源を仕切るように前記光源からの光の放射面側に突出する隔壁を有する。前記隔壁は、その対向する壁面同士をそれらが近づくように指で摘むと互いに離れる方向に弾性が生じ、前記対向する壁面のそれぞれに、前記反射部材の主面と反対側に突出する係合突起が設けられている。前記係合突起のそれぞれは、先端部に外方に突出するフックである。
【０００８】
また、この発明の発光装置は前記反射部材、フレームおよび基板を有する。フレームには前記係合突起が係合される係合孔が開口する。基板には前記係合突起が挿入される取付孔が開口する。
【０００９】
この発光装置の構成で、前記基板、前記反射部材の順に積層し、前記係合突起を前記基板の取付孔に挿入すると共に前記フレームの係合孔に係合させることにより、前記反射部材は前記基板と共に前記フレームに固定される。反射部材を取り外すときは、係合突起が設けられた隔壁の対向する壁面同士を近づけることで係合突起と係合孔との係合を解除する。反射部材を取り外せば基板もフリーになるため、基板も同時取り外すことが可能である。
【００１０】
そして、この発明の表示装置は、前記発光装置と、前記拡散板に対向配置された表示パネルと、を有した構成である。
【発明の効果】
【００１１】
この発明によると、反射部材の着脱を容易に行うことが出来る。
【図面の簡単な説明】
【００１２】
【図１】本発明の実施の形態の係る表示装置の概略構成を示す斜視図である。
【図２】上記表示装置が備える発光装置においてフレームに、反射部材と基板を固定する構造を説明する部分組立図である。
【図３】図３（Ａ）は図２におけるＡ−Ａ線断面図であって、フレームに反射部材と基板が固定された状態を示す。図３（Ｂ）は図２におけるＡ−Ａ線断面図であって、フレームから反射部材を取り外す操作を説明する断面図である。
【発明を実施するための形態】
【００１３】
以下、本発明の実施の形態に係る表示装置の概略構成を図面を参照して説明する。表示装置１は図１に示すように、発光装置１００および表示パネル２００を備える。発光装置１００はフレーム１０、基板２０、反射部材５０および拡散板６０を備える。表示パネル２００は拡散板６０に対向配置される。発光装置１００は９×１６の行列で配置される都合１４４個の光源３０から放射される光を反射部材５０により反射し、拡散板６０によってさらに均一に拡散させて表示パネル２００の背面から照明する。なお、本実施の形態の光源３０の配置および個数は一例である。
【００１４】
フレーム１０は矩形の板金の４辺を折り曲げ、有底の枠体に加工したものである。フレーム１０は発光装置１００の筐体であり、このフレーム１０に対して基板２０および反射部材５０が固定される。フレーム１０の底部上面の適所には、図２に示すように、基板２０の位置決め用の複数の位置決め突起１２が設けられている。またフレーム１０の適所には後述する反射部材５０の係合突起５５が係合される複数の係合孔１１が開口している。
【００１５】
基板２０は帯状を呈する。１個の基板２０には、９×１６の行列で配置される都合１４４個の光源３０の一列（９個）がその長手方向に実装される。９個の光源３０を実装した１６個の基板２０が列方向に平行に配列される。個々の光源３０の上面には光源３０よりもサイズの大きな円盤形のレンズ４０が取付けられる。レンズ４０は光源３０から放射される光を全方位に均一に散乱させる。光源３０には例えばＬＥＤを用いることが出来る。レンズ４０には例えばアクリル板を用いることが出来る。なお、レンズ４０は本発明の必須の要素ではなく、省略することも可能である。基板２０には後述する反射部材５０の係合突起５５が挿入される複数の取付孔２１が長手方向に並んで開口している。また、基板２０にはフレーム１０の位置決め突起１２が嵌合される位置決め孔２２も長手方向に並んで開口している。
【００１６】
反射部材５０はレンズ４０により散乱された光源３０の光を反射させる。反射部材５０は、９×１６の行列で配置される都合１４４個の光源３０を１個ごとに正方形の領域に分割（区画）する有底の枠体が９×１６の行列で配置された規則的な形状を呈する。反射部材５０はポリカーボネートなどの樹脂から成る一体成形品であり、個々の枠体には分離不能である。各枠体の底部５１の中央にはレンズ４０が挿入される逃がし孔５４が開口している。
【００１７】
枠体の側壁は反射部材５０の底部５１から主面側（図１では上方）に突出する。枠体の側壁は反射部材５０の全体の外郭をなす壁と、隣接する隣接する光源３０を仕切る隔壁と、から構成される。隔壁は９×１６の行列で配置される都合１４４個の光源３０を行ごとに仕切る横隔壁５２と列ごとに仕切る縦隔壁５３とから構成される。図２では縦横が反転して示されているが、両隔壁５２，５３は底部５１から鋭角勾配の斜面で立ち上がり、頂点を稜線とする逆Ｖ字状の断面形状を呈する。反射部材５０は肉厚の薄い樹脂で出来ているため、隔壁５２，５３の対向する壁面同士を近づけると互いに離れる方向に弾性が生じることになる。
【００１８】
図２、図３に示すように、横隔壁５２の対向する壁面５２１，５２２にはそれぞれ反射部材５０の主面と反対側（同図では下方）に突出する係合突起５５が一体に設けられている。係合突起５５は個々の枠体の横隔壁５２の長さ方向（稜線方向）の中央に配設される。係合突起５５は先端が鉤爪になったフックであり、フレーム１０の係合孔１１に係合される。係合突起５５の根本から鉤爪までの高さはフレーム１０と基板２０を合わせた厚みとほぼ同じである。
【００１９】
基板２０および反射部材５０のフレーム１０への着脱について図２、図３を用いて説明する。まず、図２に示すように、フレーム１０上に基板２０を配置する。このとき図２に示すように、対応するフレーム１０の位置決め突起１２と基板２０の位置決め孔２２とを嵌合させることにより、フレーム１０上の適切な位置に基板２０を位置決めした状態で積層することが出来る。また、対応するフレーム１０の係合孔１１と基板２０の取付孔２１とが合致し、フレーム１０と基板２０を貫通する見かけ上一体の孔が形成される。なお、図２では２個の基板２０しか表示していないが、このような作業を１６個の基板２０のすべてについて行う。
【００２０】
次に、反射部材５０の係合突起５５を、基板２０の取付孔２１に挿入すると共にフレーム１０の係合孔１１に係合させる。なお、図２では反射部材５０の枠体の一部（２行２列）しか表示していないが、反射部材５０のすべての係合突起５５に対してこの作業を行う。これにより、反射部材５０を基板２０上に積層した状態でフレーム１０に取付けることが出来る。また、係合突起５５の根本から鉤爪までの高さはフレーム１０と基板２０を合わせた厚みとほぼ同じであるため、図３（Ａ）に示すように、基板２０は反射部材５０の底部５１および係合突起５５の鉤爪に挟まれてフレーム１０上に固定される。すなわち、反射部材５０の係合突起５５を兼用して基板２０を固定することが出来る。
【００２１】
このようにして固定された基板２０および反射部材５０をフレーム１０から取り外すときは、図３（Ｂ）に示すように、横隔壁５２の対向する壁面５２１，５２２を近づけるように摘むことで係合突起５５とフレーム１０の係合孔１１との係合を解除する。これにより、係合突起５５の鉤爪がフレーム１０の係合孔１１と基板２０の取付孔２１の内側に移動するので、係合突起５５をこれらの孔１１，２１から抜けるようになる。したがって、このようにして反射部材５０のすべての箇所で係合突起５５を孔１１，２１から抜けば反射部材５０を取り外すことが出来る。この結果、基板２０もフリーになるのでフレーム１０から容易に取り外すことが出来る。
【００２２】
図１は反射部材５０がフレーム１０に取付けられた状態を示しており、この反射部材５０の上方に拡散板６０が対向配置されて発光装置１００が構成される。さらに、拡散板６０の上方に表示パネル２００が配置されて表示装置１が構成される。
【００２３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００２４】
１…表示装置
１０…フレーム
１１…係合孔
２０…基板
２１…取付孔
３０…光源
４０…レンズ
５０…反射部材
５１…底部
５２…横隔壁
５５…係合突起
６０…拡散板
１００…発光装置
２００…表示パネル
５２１，５２２…壁面
【図１】
0005669683.tif 000002
【図２】
0005669683.tif 000003
【図３】
0005669683.tif 000004